(57)【要約】【課題】  カラー領域を、色覚異常者にとって色の判別がつくように、しかも、変換前の元の色が何色であったかを知ることができるように変換し、しかも、その変換が本来の画像表示の邪魔にならないようにすることができる画像処理装置を提供する。【解決手段】  領域判定部３２で、画像中のカラー領域を判定し（ステップ１０２でＹＥＳ）、色相判定部３４で、当該カラー領域について当該カラー領域の色の色相を判断し、このカラー領域の色が有彩色であるときは（ステップ１０３でＹＥＳ）、その色相に対応している方向、向きを、色相変換テーブル３３を参照して判断する（色相変換）（ステップ１０４）。  ステップ１０４の判断により決定された、方向、間隔のハッチングを当該カラー領域に挿入する（ステップ１０７）。【選択図】  図１３
2008077307.tif 000002
【特許請求の範囲】
【請求項１】
カラー画像から有彩色の塗つぶし領域を抽出する抽出手段と、
前記抽出手段で抽出された塗りつぶし領域に該塗りつぶし領域の色に対応した付加画像を付加する付加手段と、
前記付加手段により前記付加画像が付加された画像を形成する画像形成手段と
を具備する画像処理装置。
【請求項２】
前記付加画像は、
前記塗りつぶし領域の色に対応して異なる角度で描かれた複数の平行な直線からなる画像である請求項１記載の画像処理装置。
【請求項３】
前記複数の平行な直線は、
前記塗りつぶし領域の色の明度または彩度に対応する間隔でそれぞれ描かれる請求項２記載の画像処理装置。
【請求項４】
前記複数の平行な直線は、
前記塗りつぶし領域の色の明度または彩度に対応する間隔で描かれた印をそれぞれ有する請求項２記載の画像処理装置。
【請求項５】
前記複数の平行な直線は、
前記塗りつぶし領域の色の明度または彩度に対応する間隔で複数の直線群にそれぞれ分割されて描かれる請求項２記載の画像処理装置。
【請求項６】
前記付加画像は、
色相環の中心から前記塗りつぶし領域の色の色相の方向に向う角度で描かれ、それぞれ描く方向を特定するための印を有する複数の平行な直線からなる画像である請求項１記載の画像処理装置。
【請求項７】
前記複数の平行な直線は、
前記塗りつぶし領域の色の明度または彩度に対応する間隔でそれぞれ描かれる請求項６記載の画像処理装置。
【請求項８】
前記複数の平行な直線は、
前記塗りつぶし領域の色の明度または彩度に対応する間隔で前記印が形成される請求項６記載の画像処理装置。
【請求項９】
前記複数の平行な直線は、
前記塗りつぶし領域の色の明度または彩度に対応する間隔でそれぞれ前記印を有する複数の直線群に分割されて描かれる請求項６記載の画像処理装置。
【請求項１０】
前記付加画像は、
前記塗りつぶし領域の色とは異なる色で描かれた画像である請求項１乃至９のいずれかに記載の画像処理装置。
【請求項１１】
前記付加画像は、
前記塗りつぶし領域の色の各色成分から均一値を減算して減色した色の画像である請求項１乃至９のいずれかに記載の画像処理装置。
【請求項１２】
前記付加画像は、
白抜きで描かれた画像である請求項１乃至９のいずれかに記載の画像処理装置。
【発明の詳細な説明】
【技術分野】
【０００１】
本発明は、画像処理装置に関する。
【背景技術】
【０００２】
従来、フルカラーによる印刷出力結果は、色覚異常者にとっては、赤色、緑色などが他の色に見えて混同し易いため、色の識別が困難であった。
【０００３】
そこで、入力されたカラー情報を、色覚異常者にとっても識別可能であるような色に変換して印刷出力する技術が知られている（特許文献１）。
【０００４】
また、画像中のカラー領域に対して、そのカラー領域の色名を当該カラー領域の上方位置に表示して印刷する技術も知られている（特許文献２）。
【特許文献１】特開２００４‐２７２５１６号公報
【特許文献２】特開２００１‐２５７８６７号公報
【発明の開示】
【発明が解決しようとする課題】
【０００５】
しかしながら、特許文献１の技術によれば、色覚異常者にとって各色の判別がつくように色彩の変換はなされてはいるものの、変換後の画像から変換前の元の色が何色であったのかを知ることはできないという不具合がある。
【０００６】
また、特許文献２の技術によれば、カラー領域の色が何であるかは分かるものの、色名を当該カラー領域の上方位置に表示するためのスペースが必要となるので、色名の表示が本来の画像表示の邪魔になるという不具合がある。
【０００７】
そこで、本発明の目的は、カラー領域を、色覚異常者にとって色の判別がつくように、しかも、変換前の元の色が何色であったかを知ることができるように変換し、しかも、その変換が本来の画像表示の邪魔にならないようにする画像処理装置を提供することである。
【０００８】
また、本発明の別の目的は、この場合に、変換後の画像から容易に元のカラー領域の画像に戻すことができるようにして健常者の便宜等を図ることができる画像処理装置を提供することである。
【課題を解決するための手段】
【０００９】
上記目的を達成する為に、請求項１の発明は、画像処理装置が、カラー画像から有彩色の塗つぶし領域を抽出する抽出手段と、前記抽出手段で抽出された塗りつぶし領域に該塗りつぶし領域の色に対応した付加画像を付加する付加手段と、前記付加手段により前記付加画像が付加された画像を形成する画像形成手段とを具備するように構成される。
【００１０】
また、請求項２の発明は、請求項１の発明よりさらに、前記付加画像は、前記塗りつぶし領域の色に対応して異なる角度で描かれた複数の平行な直線からなる画像であるように構成される。
【００１１】
また、請求項３の発明は、請求項２の発明よりさらに、前記複数の平行な直線は、前記塗りつぶし領域の色の明度または彩度に対応する間隔でそれぞれ描かれるように構成される。
【００１２】
また、請求項４の発明は、請求項２の発明よりさらに、前記複数の平行な直線は、前記塗りつぶし領域の色の明度または彩度に対応する間隔で描かれた印をそれぞれ有するように構成される。
【００１３】
また、請求項５の発明は、請求項２の発明よりさらに、前記複数の平行な直線は、前記塗りつぶし領域の色の明度または彩度に対応する間隔で複数の直線群にそれぞれ分割されて描かれるように構成される。
【００１４】
また、請求項６の発明は、請求項１の発明よりさらに、前記付加画像は、色相環の中心から前記塗りつぶし領域の色の色相の方向に向う角度で描かれ、それぞれ描く方向を特定するための印を有する複数の平行な直線からなる画像であるように構成される。
【００１５】
また、請求項７の発明は、請求項６の発明よりさらに、前記複数の平行な直線は、前記塗りつぶし領域の色の明度または彩度に対応する間隔でそれぞれ描かれるように構成される。
【００１６】
また、請求項８の発明は、請求項６の発明よりさらに、前記複数の平行な直線は、前記塗りつぶし領域の色の明度または彩度に対応する間隔で前記印が形成されるように構成される。
【００１７】
また、請求項９の発明は、請求項６の発明よりさらに、前記複数の平行な直線は、前記塗りつぶし領域の色の明度または彩度に対応する間隔でそれぞれ前記印を有する複数の直線群に分割されて描かれるように構成される。
【００１８】
また、請求項１０の発明は、請求項１乃至９のいずれかの発明よりさらに、前記付加画像は、前記塗りつぶし領域の色とは異なる色で描かれた画像であるように構成される。
【００１９】
また、請求項１１の発明は、請求項１乃至９のいずれかの発明よりさらに、前記付加画像は、前記塗りつぶし領域の色の各色成分から均一値を減算して減色した色の画像であるように構成される。
【００２０】
また、請求項１２の発明は、請求項１乃至９のいずれかの発明よりさらに、前記付加画像は、白抜きで描かれた画像であるように構成される。
【発明の効果】
【００２１】
請求項１の発明によれば、色覚異常者にとっても、カラー領域の色の判別をすることができるという効果を奏する。
【００２２】
請求項２の発明によれば、色覚異常者にとっても、複数の平行な直線の角度によって塗りつぶし領域の色を判別することができるという効果を奏する。
【００２３】
請求項３乃至５のいずれかの発明によれば、色覚異常者にとっても、塗りつぶし領域の色の明度または彩度を判別することができるという効果を奏する。
【００２４】
請求項６の発明によれば、色覚異常者にとっても、塗りつぶし領域の色の色相の判別をすることができるという効果を奏する。
【００２５】
請求項７乃至９のいずれかの発明によれば、色覚異常者にとっても、塗りつぶし領域の色の色相と、さらに、明度または彩度を判別することができるという効果を奏する。
【００２６】
請求項１０または請求項１２の発明によれば、塗りつぶし領域の色の判別をすることができる情報が付加されるという効果を奏する。
【００２７】
請求項１１の発明によれば、塗りつぶし領域の色に近い色合いで付加画像を付加することができるという効果を奏する。
【発明を実施するための最良の形態】
【００２８】
以下、本発明を実施するための実施例について添付図面を参照して説明する。
【００２９】
図１は、本発明の一実施形態である画像形成装置の概略構成を示すブロック図である。
【００３０】
この画像形成装置１は、いわゆる複合機であり、原稿の画像を読み取る画像読取装置２と、外部のＰＣ(Personal Computer)３などからＬＡＮ(Local Area Network)４を介して画像データの受信を行う通信インタフェース（Ｉ／Ｆ）５と、画像読取装置２で読み取った原稿の画像データや、通信インタフェース（Ｉ／Ｆ）５で受信した画像データに対して所定の画像処理を行う画像処理装置６と、この画像処理後の画像データに基づいて用紙等の被印刷媒体上に画像形成を行うプリンタエンジン７と、ユーザが各種操作を行う操作パネル８と、画像形成装置１の全体を集中的に制御する制御部９とを備えている。
【００３１】
なお、プリンタエンジン７の印刷方式としては、電子写真方式、インクジェット方式など、様々な方式を適用することができる。
【００３２】
次に、画像処理装置６で行う処理の内容について説明する。
【００３３】
図２（ａ）が本画像処理装置６で処理する画像１１の例であるものとする。
【００３４】
この画像は、赤のカラー領域１２、緑のカラー領域１３、青のカラー領域１４が含まれているものとする。
【００３５】
ここでは、色覚異常者が判断しにくい色である赤のカラー領域１２、緑のカラー領域１３が処理の対象となる。
【００３６】
図３は、色相環の一例を示すものである。
【００３７】
この色相環では、各色は色相環の角度に一意に対応している。
【００３８】
例えば、赤であれば９０度である。
【００３９】
ここで、色覚異常者にとって特に問題となる赤と緑だけを対象にすれば、色相環の角度と赤、緑の各色とを一意に対応させることができる。
【００４０】
そこで、図２（ｂ）（ｃ）に示すように、赤のカラー領域１２、緑のカラー領域１３の画像に、例えば、黒色のハッチング（図２（ｂ））、又は、白抜きのハッチング（図２（ｃ））を挿入する。
【００４１】
ハッチングはライン状の画像であり、第１のシンボルを構成するものであって、そのラインの角度を当該カラー領域の色の色相の色相環の角度になるようにすることで、色相が視覚的に判別できない色覚異常者であっても何れの色相かを判断することができる。
【００４２】
なお、図２の例では、ハッチングのラインの角度と色相との関係を説明する凡例１５、１６を画像の隅に挿入するようにしている。
【００４３】
ところで、この場合に、カラー領域に黒色のハッチング（図２（ｂ））を挿入したときは画像が黒っぽくなり、又、白抜きのハッチング（図２（ｃ））を挿入するときは画像が白っぽくなってしまう。
【００４４】
そこで、ハッチングの色を黒や白ではなく、例えば、対象となるカラー領域のＣ，Ｍ，Ｙの各色成分の濃度（０〜２５５）が図４（ａ）に示すようであるとすると、Ｃ，Ｍ，Ｙの各色成分のうち、この例で最も濃度の低いＣの濃度値分をＣ，Ｍ，Ｙの各色成分から減算した色（図４（ｂ）参照）により、ハッチングを形成するようにしても良い。
【００４５】
この場合は、黒色のハッチング（図２（ｂ））や、白抜きのハッチング（図２（ｃ））を使用する場合に比較すれば、幾分でもハッチングの挿入前のカラー領域の色に近い色合いとなることが期待できる。
【００４６】
前述のとおり、ハッチングの挿入の対象とするカラー領域が少ない場合は、ハッチングのラインの角度だけで色相環の特定の色の角度と一意に対応させることができるが、ハッチングの挿入の対象とするカラー領域が多い場合は、ハッチングのラインの角度だけで特定の色を表現することができない。
【００４７】
例えば、図３の例では、９０度の赤と２７０度のシアンの傾きは同じであるため、両者をハッチングのラインの角度だけで区別することができない。
【００４８】
そこで、図５に示すように、第１のシンボルとなるハッチング２１のラインの他に、向きを示すことができる第２のシンボル、この例では矢印２２を、カラー領域に挿入するようにする。
【００４９】
すなわち、色相環における特定の色をハッチング２１のラインの角度と矢印２２の向きにより示すことで、色相環における各色を一意に特定することができる。
【００５０】
図６は、各カラー領域（図６（ａ））に、ハッチング２１と矢印２２を挿入し、色相環における特定の色をハッチング２１のラインの角度と矢印２２の向きにより示すようにした例（図６（ｂ））である。
【００５１】
以上のような処理を画像データに施した後、印刷出力すれば、ハッチング２１や矢印２２により各カラー領域の色相を判断することができる。
【００５２】
しかしながら、このハッチング２１や矢印２２は彩度や明度までは表現されていない。
【００５３】
そこで、色の彩度や明度は、ハッチング２１の間隔や矢印２２の間隔により表現するようにする。
【００５４】
図７は、彩度をハッチング２１の間隔で表現している。
【００５５】
すなわち、彩度が薄いほど間隔を狭く、鮮やかなほど間隔を広くしている。
【００５６】
また、図８は、明度を矢印２２の間隔で表現している。
【００５７】
すなわち、明度が暗いほど間隔を狭く、明るいほど間隔を広くしている。
【００５８】
図９は、各カラー領域（図９（ａ））に、ハッチング２１と矢印２２を挿入し、矢印２２の間隔で各色の彩度又は明度を表現した例（図９（ｂ））である。
【００５９】
また、図１０は、各カラー領域（図１０（ａ））に、ハッチング２１と矢印２２を挿入し、ハッチング２１とハッチング２１の間隔で各色の彩度又は明度を表現した例である。
【００６０】
なお、ハッチング２１の間隔で彩度を表現し、矢印２２の間隔で明度を表現するようにしてもよいし、あるいは、その逆としてもよい。
【００６１】
また、彩度、明度のうち、色覚異常者に特にわかりにくいのは彩度であるため、彩度のみをハッチング２１の間隔又は矢印２２の間隔で表現するようにしてもよい。
【００６２】
また、第１のシンボルとなるハッチング２１のラインを複数に分割し、その間隔により明度や彩度を表現してもよい。
【００６３】
図１１は、このようにして彩度を表現した例である。
【００６４】
なお、第１のシンボル、第２のシンボルは、様々な形態に表現することができる。
【００６５】
例えば、第１のシンボルを、ラインではなく、連続する丸や三角の形状にすることができる。
【００６６】
第２のシンボルも、矢印でなく、ひげ（ハッチング２１の片側にのみ第２のシンボルとなるラインが張り出している形態）などで表現することができる。
【００６７】
また、明度や彩度を表現する際に、第１のシンボルの太さを変化させて表現するやり方や、矢印の矢尻の長さを変化させて表現するやり方や、第１のシンボルを三角の形状にした場合に三角の高さを変化させて表現するやり方も可能である。
【００６８】
以上のような処理を行えば、色覚異常者にとっても、カラー領域を判別し、構成する色の色相、彩度、明度を容易に知ることができる。
【００６９】
しかも、ハッチング２１や矢印２２は各カラー領域に挿入されるので、ハッチング２１や矢印２２が本来の画像表示の邪魔にならないようにすることができる。
【００７０】
また、ハッチング２１や矢印２２を挿入後の画像をモノクロ印刷しても、元の色の色相、彩度、明度がわかるので、カラートナー、カラーインクを節約することもできる。
【００７１】
しかしながら、上記のような処理を行って印刷を行うと、色覚異常者にとっては便利であるが、健常者にとっては元の色彩が表現されていないので不便である。
【００７２】
そこで、前述のような処理を行ってモノクロで印刷された画像が、再び画像読取装置２で読み取られた場合、図１２に示すように、その画像中の第１のシンボルとなるハッチング２１や第２のシンボルとなる矢印２２を分析して（図１２（ａ））、ハッチング２１や矢印２２が含まれる領域を、前述のような処理を行う前のカラー領域の画像に再度変換する処理を行う（図１２（ｂ））。
【００７３】
具体的には、画像中に含まれるハッチング２１、矢印２２の存在する領域を特定し、各ハッチング２１のラインの角度や間隔、ラインが分割されているときはその間隔を判断し、矢印２２の向きや間隔を判断することにより、元のカラー領域の色の色相、彩度、明度を推測して、その色相、彩度、明度を有する色のカラー領域に変換することができる。
【００７４】
ここで、ハッチング２１のラインの角度や矢印２２の向きによって色相が推測され、ハッチング２１の間隔や矢印２２の間隔等によって彩度、明度が推測される。
【００７５】
次に、前述の処理を実現するための画像処理装置６が実行する具体的な処理について説明する。
【００７６】
以下では、カラー領域を、ハッチング２１、矢印２２などに変換する処理を変換処理、ハッチング２１、矢印２２などをカラー領域に戻す処理を逆変換処理と呼んで説明する。
【００７７】
まず、変換処理について説明する。
【００７８】
図１３は、画像処理装置６が変換処理を行う際の機能ブロック図である。
【００７９】
下記の例は、ハッチング２１のラインの角度と、矢印２２の向きにより色相を表現し、ハッチング２１のラインの間隔で彩度を表現し、矢印２２の間隔で明度を表現する例である。
【００８０】
図１３において、操作パネル８の所定操作により、ユーザは変換処理を行うか否かを選択することができる。
【００８１】
ユーザが変換処理を行うことを選択したときは、変換可否制御部３１は、画像読取装置２或いは通信Ｉ／Ｆ５から送信された処理対象の画像データを領域判定部３２に送る。
【００８２】
領域判定部３２では、画像中で各カラー領域が画像のどの範囲であるかを判定する。
【００８３】
このカラー領域の判定を行う手段としては、Ｋ平均アルゴリズム、ＭＡＰ推定を利用した方法など、周知の技術を用いることができる（特開平８−２６３６４７号公報などを参照）。
【００８４】
色相変換テーブル３３は、図３に例示するような色相環の各色相の種別と、当該色相環における各色相の角度（例えば、図３の例で、赤なら９０度）とを関連づけて記憶しているデータテーブルである。
【００８５】
色相判定部３４は、各カラー領域について当該カラー領域の色の色相を判断し、その色相に対応する角度を、色相変換テーブル３３を参照して判断する。
【００８６】
明度変換テーブル３５は、図８の例のようなデータテーブルであり、明度の各値と矢印２２の間隔とが関連付けて記憶されている。
【００８７】
明度判定部３６は、各カラー領域の明度を判断し、その明度に対応している矢印２２の間隔を、明度変換テーブル３５を参照して判断する。
【００８８】
彩度変換テーブル３７は、図７の例のようなデータテーブルであり、彩度の各値とハッチング２１の間隔とが関連付けて記憶されている。
【００８９】
彩度判定部３８は、各カラー領域の彩度を判断し、その彩度に対応しているハッチング２１の間隔を、彩度変換テーブル３７を参照して判断する。
【００９０】
画像生成部３９は、色相判定部３４、明度判定部３６、彩度判定部３８の判断により、各カラー領域について、ハッチング２１のラインの角度、間隔、矢印２２の向き、間隔を決定し、このラインの角度、間隔のハッチング２１、向き、間隔の矢印２２を、それぞれ各カラー領域に挿入する。
【００９１】
そして、このハッチング２１、矢印２２挿入後の画像データは、プリンタエンジン７に出力される。
【００９２】
図１４は、画像処理装置６が行う変換処理について説明するフローチャートである。
【００９３】
まず、操作パネル８の所定操作により、ユーザが変換処理を行うことを選択したときは（ステップ１０１でＹＥＳ）、領域判定部３２で、画像中の各カラー領域を判定し（ステップ１０２のＹＥＳ）、色相判定部３４で、当該カラー領域について、その色の色相を判断し、このカラー領域の色が有彩色であるときは（ステップ１０３のＹＥＳ）、その色相に対応している角度を、色相変換テーブル３３を参照して判断する（色相変換）（ステップ１０４）。
【００９４】
次に、明度判定部３６で、各カラー領域の明度を判断し、その明度に対応している矢印２２の間隔を、明度変換テーブル３５を参照して判断する（明度変換）（ステップ１０５）。
【００９５】
次に、彩度判定部３８で、各カラー領域の彩度を判断し、その彩度に対応しているハッチング２１の間隔を、彩度変換テーブル３７を参照して判断する（彩度変換）（ステップ１０６）。
【００９６】
以上の処理は、全てのカラー領域について行う。
【００９７】
そして、画像生成部３９で、ステップ１０４〜１０６の判断により決定された、角度、間隔のハッチング２１、向き、間隔の矢印２２を当該カラー領域に挿入する（ステップ１０７）。
【００９８】
次に、逆変換処理について説明する。
【００９９】
図１５は、画像処理装置６が逆変換処理を行う際の機能ブロック図である。
【０１００】
下記の例も、ハッチング２１のラインの角度と、矢印２２の向きにより色相を表現し、ハッチング２１の間隔で彩度を表現し、矢印２２の間隔で明度を表現する例で説明する。
【０１０１】
図１５において、操作パネル８の所定操作で、ユーザは逆変換処理を行うか否かを逆変換可否選択部４０により選択することができる。
【０１０２】
ユーザが変換処理を行うことを選択したときは、ハッチング等領域判定部４１は、画像読取装置２から送信される画像データの画像中で、ハッチング２１、矢印２２が含まれている領域を判定する。
【０１０３】
ハッチング２１、矢印２２の認識は、例えば、ビットマップデータ形式の場合、一定範囲内にある同色の画素数の連続が一定以上の場合は線形上であると判断するなど、周知の技術により行うことができる（特開２００４‐１７８５１３号公報、特開平８‐２４９４６８号公報、特開平７‐２２６８３９号公報、特開平１１‐１６１７８７号公報等を参照）。
【０１０４】
そして、色相判定部４２は、ハッチング２１のラインの角度、矢印２２の向きを判断し、その角度、向きに対応している色相を、色相変換テーブル３３を参照して判断する。
【０１０５】
また、明度判定部４３は、矢印２２の間隔を判断し、明度変換テーブル３５を参照して、その間隔に対応している明度を判断する。
【０１０６】
さらに、彩度判定部４４は、ハッチング２１の間隔を判断し、彩度変換テーブル３７を参照して、その間隔に対応している彩度を判断する。
【０１０７】
画像生成部４５は、色相判定部４２、明度判定部４３、彩度判定部４４の判断により、ハッチング２１、矢印２２が含まれている領域について、ハッチング２１のラインの角度、間隔、矢印２２の向き、間隔に応じた、色相、彩度、明度のカラー領域に変換する。
【０１０８】
この変換後の画像データは、プリンタエンジン７に出力される。
【０１０９】
図１６は、画像処理装置６が行う逆変換処理について説明するフローチャートである。
【０１１０】
まず、操作パネル８の所定操作により、ユーザが逆変換処理を行うことを選択したときは（ステップ２０１でＹＥＳ）、ハッチング等領域判定部４１により、画像読取装置２から送信される画像データの画像中で、ハッチング２１、矢印２２が含まれている領域を判定する（ステップ２０２）。
【０１１１】
次に、色相判定部４２により、ハッチング２１のラインの角度、矢印２２の向きを判断し、その方向、向きに対応している色相を、色相変換テーブル３３を参照して判断する（色相逆変換）（ステップ２０３）。
【０１１２】
そして、明度判定部４３により、矢印２２の間隔を判断し、明度変換テーブル３５を参照して、その間隔に対応している明度を判断する（明度逆変換）（ステップ２０４）。
【０１１３】
また、彩度判定部４４により、ハッチング２１の間隔を判断し、彩度変換テーブル３７を参照して、その間隔に対応している彩度を判断する（彩度逆変換）（ステップ２０５）。
【０１１４】
そして、画像生成部４５により、色相判定部４２、明度判定部４３、彩度判定部４４の判断に基づいて、ハッチング２１、矢印２２が含まれている領域について、ハッチング２１のラインの角度、間隔、矢印２２の向き、間隔に応じた、色相、彩度、明度のカラー領域に変換する（カラー領域に変換するための具体的な手段としては周知技術を用いる（例えば、特開平８‐２８７１７２号公報などを参照））（ステップ２０６）。
【０１１５】
この変換後の画像データは、プリンタエンジン７に出力される。
【０１１６】
このような処理を行うことにより、ハッチング２１や矢印２２に変換した画像も容易に元のカラー画像に逆変換することができ、健常者の便宜等を図ることができる。
【０１１７】
次に、本発明の画像処理装置の別の実施形態について説明する。
【０１１８】
図１７は、別実施形態である画像処理装置の電気的な接続のブロック図である。
【０１１９】
この画像処理装置は、パーソナルコンピュータであり、各種演算を行い、各部を集中的に制御するＣＰＵ５１と、各種のＲＯＭ、ＲＡＭから構成されるメモリ５２とがバス５３で接続されている。
【０１２０】
バス５３には、適宜所定のインタフェースを介して、磁気記憶装置（ＨＤＤ）５４と、ＬＣＤなどの表示装置５５と、マウス、キーボードなどの入力装置５６と、ＣＤ，ＤＶＤなどの記憶媒体５７を読み取る読取装置５８と、インターネット６２と通信を行う通信インタフェース（Ｉ／Ｆ）５９と、原稿の画像を読み取る画像読取装置６０と、用紙上に画像形成を行う画像形成装置６１とが接続されている。
【０１２１】
読取装置５８は、記憶媒体５７の種類に応じて光ディスク装置、光磁気ディスク装置、フレキシブルディスク装置などが用いられる。
【０１２２】
画像形成装置６１の印刷方式は、電子写真方式、インクジェット方式など様々の方式が用いられる。
【０１２３】
この画像処理装置では、記憶媒体５７から読み取った、あるいは、インターネット６２からダウンロードした、本発明の画像処理プログラムを実施するアプリケーションソフト６３が磁気記憶装置５４にセットアップされている。
【０１２４】
このアプリケーションソフト６３は所定のＯＳ上で動作し、アプリケーションソフト６３に基づく処理により、画像読取装置６０で読み取る等した画像データに対して、前述の変換処理、逆変換処理を行って画像形成装置６１に出力する処理を行うことができる。
【０１２５】
その処理内容の詳細は前述したとおりであるので、詳細な説明は省略する。
【０１２６】
なお、変換処理については、カラー画像を変換した変換後の画像データは、ハッチング付きのカラー画像ではなくて、ハッチングが付けられた白黒の画像データが生成されてもよい。
【０１２７】
なお、図２を参照して説明したように、ハッチングを形成する直線に矢印が付与されない形でカラー領域の色相が表現された場合には、ハッチングを形成する直線の角度と表現されるカラー領域の色の色相の色相環の角度とが必ずしも一致しない場合もあり得る。
【０１２８】
その場合は、図面の隅に挿入する凡例との対応により色相の判断がなされる。
【０１２９】
例えば、変換されるカラー画像中のカラー領域が赤と緑の２色であった場合には、赤のカラー領域が縦線のハッチングで表現され、緑のカラー領域が横線のハッチングで表現され、それぞれに対応する凡例が変換後の画像の隅に挿入されて、カラー領域の識別が行われる。
【０１３０】
このようにハッチングを形成する直線の角度と表現されるカラー領域の色の色相の色相環の角度とが一致しない場合にでも、表現されるカラー領域の色の彩度や明度が、図７を参照して説明したように直線の間隔で表現される、或いは、図８を参照して説明したように矢印のような印が直線上に付加されて表現される、或いは、図１１を参照して説明したように分断された直線の間隔で表現されるように構成されてもよい。
【０１３１】
なお、変換される画像に挿入されるハッチング２１、矢印２２等の画像は、表現するカラー領域と異なる色で描く、又は、図２（ｃ）を参照して説明したように白抜きで描く、又は、図４を参照して説明したように表現するカラー領域の色に近い色合いで描くようにすることができる。
【産業上の利用可能性】
【０１３２】
この発明は、画像処理装置において利用可能である。
【０１３３】
この発明によれば、色覚異常者にとっても、カラー領域を判別することができ、構成する色の色相、彩度、明度を知ることができる。
【０１３４】
そして、変換後の画像データから逆変換して元のカラー画像を得ることができる。
【図面の簡単な説明】
【０１３５】
【図１】本発明の一実施形態である画像形成装置１の概略構成を示すブロック図。
【図２】カラー領域に色相を示すハッチングを挿入する処理の説明図。
【図３】色相環の一例を示す説明図。
【図４】ハッチングに使用される色の選択の一例を説明する説明図。
【図５】ハッチング２１や矢印２２の一例を示す説明図。
【図６】カラー領域にハッチングを挿入した画像の例を示す説明図。
【図７】ハッチング２１の間隔により彩度を表現する例の説明図。
【図８】矢印２２の間隔により明度を表現する例の説明図。
【図９】矢印２２の間隔で彩度又は明度を表現する例の説明図。
【図１０】ハッチング２１の間隔で彩度又は明度を表現する例の説明図。
【図１１】分割されたハッチングの間隔により彩度を表現する例の説明図。
【図１２】逆変換によりハッチング、矢印をカラー領域に変換する例の説明図。
【図１３】画像処理装置６における変換処理の機能ブロック図。
【図１４】変換処理のフローチャート。
【図１５】画像処理装置６における逆変換処理の機能ブロック図。
【図１６】逆変換処理のフローチャート。
【図１７】画像処理装置の他の実施形態を説明するブロック図。
【符号の説明】
【０１３６】
１    画像形成装置
２    画像読取装置
３    ＰＣ
４    ＬＡＮ
５    通信インタフェース
６    画像処理装置
７    プリンタエンジン
８    操作パネル
９    制御部
１１    画像
１２、１３、１４    カラー領域
１５、１６    凡例
２１    ハッチング
２２    矢印
【図１】
2008077307.tif 000003
【図２】
2008077307.tif 000004
【図３】
2008077307.tif 000005
【図４】
2008077307.tif 000006
【図５】
2008077307.tif 000007
【図６】
2008077307.tif 000008
【図７】
2008077307.tif 000009
【図８】
2008077307.tif 000010
【図９】
2008077307.tif 000011
【図１０】
2008077307.tif 000012
【図１１】
2008077307.tif 000013
【図１２】
2008077307.tif 000014
【図１３】
2008077307.tif 000015
【図１４】
2008077307.tif 000016
【図１５】
2008077307.tif 000017
【図１６】
2008077307.tif 000018
【図１７】
2008077307.tif 000019